(57)【特許請求の範囲】
【請求項１】
被揚収艇に接続される２本のワイヤロープの巻き取りまたは繰り出しを共通のモータの駆動により同期して行う一組のウィンチ装置と、
一対の柱とそれぞれの柱に掛け渡された梁とにより門型に構築され、前記ウインチ装置からのワイヤロープを移動可能に支持する滑車を有し、前記ウィンチ装置を一対の柱のどちらか一方に備え、揚収艇の甲板に傾倒可能に取り付けられた門型ダビットと、
前記ダビットの傾倒を制御する油圧シリンダと、から構成され、
前記ワイヤロープは門型ダビットの船舷側を通過することを特徴とする短艇揚収装置。
【請求項２】
被揚収艇に接続される２本のワイヤロープの巻き取りまたは繰り出しを共通のモータの駆動により同期して行う一組のウィンチ装置と、
一対の柱とそれぞれの柱に掛け渡された梁とにより門型に構築され、前記ウインチ装置からのワイヤロープを移動可能に支持する滑車を有し、前記ウィンチ装置を一対の柱のどちらか一方に備え、揚収艇の甲板に傾倒可能に取り付けられた門型ダビットと、
前記ダビットの傾倒を制御する油圧シリンダと、から構成され、
前記ワイヤロープは小型艇吊り上げ時の上限を設定するストッパを備えたことを特徴とする短艇揚収装置。
【発明の詳細な説明】
【０００１】
【発明の属する技術分野】
本発明は、ウインチ装置により母船に対して小型艇を上げ下ろしする短艇揚収装置の改良に関する。
【０００２】
【従来の技術】
ワイヤロープを繰り出す油圧式のウインチ装置により、ワイヤロープの先端に吊り下げ支持した小型艇を母船に対して小型艇を上げ下ろしする短艇揚収装置については、例えば実公昭６０−１７４３６号公報に提案がなされている。
【０００３】
図６、図７には、この揚収装置を示す。図示されるように、母船の船体３１の舷側近傍の甲板３３には、一対の柱状のダビットフレーム３２の基端が固設される。これらのダビットフレーム３２は船体３１の内側上方に湾曲し、各ダビットフレーム３２の先端側は、甲板３３上に立設した壁面４に固設されている。
【０００４】
また、各ダビットフレーム３２上には、一対の柱状のクレードル３５が配設される。これらのクレードル３５は、それぞれダビットフレーム３２に沿って案内され、ダビットフレーム３２の基端側と先端側の間で往復移動自在となっている。
【０００５】
これらのクレードル３５は、略中央部から上端側が舷側方向に向かって湾曲するとともに、上端付近と中央付近にそれぞれ滑車３７、３８を備えている。これらの滑車３７、３８には、各ダビットフレーム３２の裏面に設置されたウインチ装置４０、４１から伸び出したワイヤロープ４２が、ダビットフレーム３２の基端側に固定された滑車３９に掛け回された後に、掛け回される。また、滑車３７から伸び出したワイヤロープ４２の先端には、フック装置４３が設けられ、このフック装置４３の吊り下げ用金具４５を介して小型艇４４が吊り下げられるようになっている。なお、この場合、滑車３７、３９の間の滑車３８は、滑車３７、３９とは反対側からワイヤロープ４２を押さえ込む形にしておく。
【０００６】
また、ウインチ装置４０、４１は、ユニバーサル継ぎ手４６、４７および伝動軸４８を介して連結され、ウインチ装置４０、４１のいずれか一方（例えばウインチ装置４０）に設けられた減速機付き油圧モータ４０Ａによって同期的に駆動されるようになっている。
【０００７】
以上のような構成により、海上から小型艇４４を引き上げるときには、ウインチ装置４０、４１の駆動によりワイヤロープ４２が巻取られると、ワイヤロープ４２の張力に等しい小型艇４４に対する引き上げ力が、ワイヤロープ４２の張力の滑車３８地点での分力に等しいクレードル３５に対する引き上げ力よりも小さいことから、まず、小型艇４４が海上からクレードル３５の上端側まで引き上げられる。このように、小型艇４４がいっぱいに引き上げられた後、ダビットフレーム３２の基端側（図６の二点鎖線の位置）にあったクレードル３５が、ダビットフレーム３２の先端側（図６の実線の位置）へと移動して、小型艇４４が甲板３３上に収容される。なお、ダビットフレーム３２の基端側に引き上げられたクレードル３５は、クレードルストッパ３６によって位置を固定される。
【０００８】
【発明が解決しようとする課題】
ところで、このような揚収装置においては、クレードル３５に備えられた滑車３７、３８を介して小型艇４４を引き上げ、その後クレードル３５をダビットクレーム３２上に沿って移動させて小型艇４４を所定位置に格納するために揚収装置が大型化、複雑化し、高価になってしまうという問題があった。
【０００９】
本発明はこのような問題を解決する短艇揚艇装置を提供することを目的とする。
【００１０】
【課題を解決するための手段】
第１の発明は、被揚収艇に接続される２本のワイヤロープの巻き取りまたは繰り出しを共通のモータの駆動により同期して行う一組のウィンチ装置と、一対の柱とそれぞれの柱に掛け渡された梁とにより門型に構築され、前記ウインチ装置からのワイヤロープを移動可能に支持する滑車を有し、前記ウィンチ装置を一対の柱のどちらか一方に備え、揚収艇の甲板に傾倒可能に取り付けられた門型ダビットと、前記ダビットの傾倒を制御する油圧シリンダと、から構成され、前記ワイヤロープは門型ダビットの船舷側を通過する。
【００１４】
第２の発明は、被揚収艇に接続される２本のワイヤロープの巻き取りまたは繰り出しを共通のモータの駆動により同期して行う一組のウィンチ装置と、一対の柱とそれぞれの柱に掛け渡された梁とにより門型に構築され、前記ウインチ装置からのワイヤロープを移動可能に支持する滑車を有し、前記ウィンチ装置を一対の柱のどちらか一方に備え、揚収艇の甲板に傾倒可能に取り付けられた門型ダビットと、前記ダビットの傾倒を制御する油圧シリンダと、から構成され、前記ワイヤロープは小型艇吊り上げ時の上限を設定するストッパを備える。
【００１５】
【発明の作用および効果】
第１の発明では、ダビットは二本の柱とそれぞれの柱を結ぶ梁からなる門型構造を有し、油圧シリンダによって振出し、振込みを制御されており、またウィンチ装置は、柱の前側または後側の少なくとも一方に取りつけられる構成としたので、従来小型艇の揚収に必要であったクレードルを廃止することが可能となり、軽量、低価格化を計ることができる。
【００１６】
また門型ダビットの振込み、振出し時の傾倒運動を司る油圧シリンダと小型艇の揚収を行うウィンチをそれぞれ別に設けたので、個々の要求性能に見合う性能を有する部品設定を行え、特にウィンチについては小型化することができ、軽量化、低価格化も可能となる。
また、一組のウィンチ装置を同期して巻き取りまたは繰り出しすることで、小型艇の揚収作業を確実に行うことができる。
また、前記ワイヤロープは門型ダビットの船舷側を通過するので、作業者のいる甲板上をワイヤロープが通過せず、作業者が揚収作業中にワイヤロープに巻きこまれる事故を防止し、安全に作業を行うことができる。
【００１９】
第２の発明では、前記ワイヤロープには小型艇吊り上げ時の上限を設定するストッパを備えたので、揚収時に小型艇が誤って門型ダビット等に接触して破損するような事故を未然に防止することができる。
【００２０】
【発明の実施形態】
以下、本発明の実施形態を添付図面に基づいて説明する。
【００２１】
図１から図３に示すように、本発明の揚収装置は、船体１に傾倒可能に取りつけられた、一対のダビットフレーム３ａ、３ｂと各ダビットフレームを接続する梁３ｃから門型形状に構成される門型ダビット３と、門型ダビット３に備えられた滑車５、６、７を介して小型艇２を揚降する、揚降時の衝撃を緩衝する緩衝機能を有するウィンチ１４、１５（たとえば特願平９−１４４８７９号参照）と、門型ダビット３を傾倒し、船体１に格納する油圧シリンダ１６とから主に構成される。
【００２２】
門型ダビット３は、一対のダビットフレーム３ａ、３ｂの基端側を船体１の舷側近傍の甲板上にブラケット４を介して船体１の左右方向に傾倒可能に取りつけられる。ダビットフレーム３ａ、３ｂの先端側には梁３ｃが結合され、門型形状が構成されている。
【００２３】
この門型ダビット３の振出し及び振込みを制御する一対の油圧シリンダ１６が備えられており、ダビットフレーム３ａ、３ｂに油圧シリンダ１６のピストンロッド先端側を回動可能に取り付け、油圧シリンダ１６のシリンダ基端側をブラケット１９を介して船体１甲板上に回動可能に据え付ける。このように構成することによって門型ダビット３は油圧シリンダ１６の伸縮にともなって傾倒することが可能となっている。
【００２４】
なお門型ダビット３はその断面が閉断面の高剛性の構造を有している。
【００２５】
門型ダビット３の梁３ｃの船舷側で、かつ小型艇２の先後端の吊り位置の上部には滑車５、６がブラケット１６、１７を介して回転自在に門型ダビット３の梁３ｃに備えられており、小型艇２を揚収する際に用いられるワイヤロープ８、９が滑車５、６に掛け回される。
【００２６】
一対のダビットフレーム３ａの一方には小型艇２の揚収用のワイヤロープ８、９を巻き取るウィンチ１４、１５が取り付けられ、これらウィンチ１４、１５は図示しない共通の油圧モータの回転により同期して回転駆動される。これらウィンチ１４、１５に近い側の滑車５に掛け回されるワイヤロープ８は、滑車５に掛け回された後にウィンチ１４のドラム１０に巻き取られる。
【００２７】
ウィンチ１４、１５に遠い側の滑車６に掛け回されるワイヤロープ９はウィンチ１５の上方に設けられた案内用の滑車７を介してウィンチ１４と同期して作動するウィンチ１５のドラム１１に巻き取られる。
【００２８】
このようにウィンチ１４、１５を同期して作動することで、小型艇２の揚収作業を確実に行うことができる。
【００２９】
ワイヤロープ８、９は小型艇２に、その先端に設けられたフック１２、１３、たとえば出願人が特許出願したボールフック（特願平９−１３２３１４号参照）を介して接続されている。
【００３０】
なおワイヤロープ８、９の小型艇２側先端から所定長さの位置にはストッパ２０が設けられている。
【００３１】
次に作用について説明する。
【００３２】
まず揚収時の作用について図１から５を用いて説明する。
【００３３】
小型艇２が一対のダビットフレーム３ａ、３ｂと各ダビットフレームを接続する梁３ｃとから門型形状に構成される門型ダビット３の正横位置に移動してきたら、門型ダビット３を油圧シリンダ１６を伸長して小型艇側へと振出し、小型艇２と船体１とを控索で繋ぎ、ワイヤロープ８、９を小型艇２上におろす。
【００３４】
ワイヤロープ８、９が展張しない状態でフック１２、１３を介してワイヤロープ８、９と小型艇２を接続する。
【００３５】
ワイヤロープ８、９を小型艇２に接続した状態でウィンチ１４、１５を作動し、ダビット３の梁３ｃの外側に備えられた滑車５、６、７を介してワイヤロープ８、９を巻き取る。
【００３６】
ただし、小型艇２が海面より離水していない状態ではウィンチ１４、１５は衝撃緩衝機能を作動させている。これは船底が離水するときに生じる小型艇２の約２倍の衝撃を緩衝するためのものである。
【００３７】
小型艇２が海面より離水し、海面上の波の影響を受けない高さのところで、緩衝機能を打ちきり、ストッパ２０が作動する位置まで小型艇２を上昇させる。
【００３８】
上限位置まで上昇したところで、ウィンチ１４、１５の回転を停止させ、ついで油圧シリンダ１６を収縮させ、ダビット３を振込み格納位置へと移動させる。
【００３９】
このように上限位置を規定するストッパ２０をワイヤロープ８、９に備えたので、揚収作業中に誤って小型艇２を上昇させすぎて、船体に接触し、船体もしくは小型艇を破損することを防止することができる。
【００４０】
最後に小型艇２を振込み格納位置からウィンチ１４、１５からワイヤロープ８、９を繰りだし図示しない艇台に降下させて、艇の格納を完了する。
【００４１】
引き続き降下時の作用について説明する。
【００４２】
格納状態からウィンチ１４、１５を巻き取り方向に作動させて、ストッパ２０の作動位置まで小型艇２を上昇させる。
【００４３】
ストッパ２０作動状態のまま、油圧シリンダ１６を伸長させ、所定の振出し位置まで門型ダビット３を傾倒させる。
【００４４】
振出し位置からウィンチ１４、１５のワイヤロープ８、９を繰り出し小型艇２を降下し、着水させる。
【００４５】
ワイヤロープ８、９が展張しない程度まで繰り出し、フック１２、１３を小型艇２から外し、小型艇２の降下を終了する。
【００４６】
このように本発明では閉断面の門型形状を有する門型ダビット３を備えたので、従来構造のクレードルを廃止することができ、揚収装置を単純化して軽量化と原価低減を図れる。
【００４７】
小型艇２を揚収するためのワイヤロープ８、９の配索が門型ダビット３の船舷側のみを通過するので、作業者が揚収時に巻き取り中のワイヤロープに巻き込まれることがなく、揚収作業を安全に行うことができる。
【００４８】
また門型ダビット２を傾倒する油圧シリンダ１６と、小型艇２を揚収するウィンチ１４、１５をそれぞれ別の構成としたことにより、所定の性能に見合った構成とすることができ、ウィンチ１４、１５については小型化、原価低減が可能となる。
【図面の簡単な説明】
【図１】本発明の第１の実施形態を示す正面図。
【図２】同じく側面図。
【図３】同じく側面図（小型艇格納時）。
【図４】同じく側面図（小型艇振出し時）。
【図５】同じく側面図（小型艇降下時）。
【図６】従来例の正面図。
【図７】従来例の側面図。
【符号の説明】
１  船体
２  小型艇
３  門型ダビット
４  ブラケット
５  滑車
６  滑車
７  滑車
８  ワイヤロープ
９  ワイヤロープ
１０  ドラム
１１  ドラム
１２  フック
１３  フック
１４  ウィンチ装置
１５  ウィンチ装置
１６  油圧シリンダ
１７  ブラケット
１８  ブラケット
１９  ブラケット
２０  ストッパ
【図１】
0003974727.tif 000002
【図２】
0003974727.tif 000003
【図３】
0003974727.tif 000004
【図４】
0003974727.tif 000005
【図５】
0003974727.tif 000006
【図６】
0003974727.tif 000007
【図７】
0003974727.tif 000008